(57)【要約】【課題】カウンタトップＣＴに開設したコンロ開口ＣＴａの周縁部上面にコンロ本体１の上縁の外曲げフランジ１２を着座させると共に、コンロ本体を上方から覆う天板２を設けたドロップイン式コンロであって、天板２は、ガラス製の天板主体２１と、天板主体の後辺部に連結され、コンロ本体後部の外曲げフランジ１２を上方から覆って当該外曲げフランジとの間に通気間隙２３ａを画成する吸気カバー２３とを備えるものにおいて、アイランドキッチンのカウンタトップに設置しても体裁が良好で、且つ、煮こぼれによって通気間隙に空気が流入し難くなることも防止できるものを提供する。【解決手段】吸気カバー２３は、天板主体２１の後辺部から後方に水平にのびる水平板部２３１と、水平板部２３１の後方の後ろ下がりに傾斜した傾斜板部２３２とを有する。傾斜板部２３２の後端の位置はコンロ本体１後部の外曲げフランジ１２の後端の位置と同等にする。【選択図】図２
2013044440.tif 000002
【特許請求の範囲】
【請求項１】
上面が開放された箱形のコンロ本体の上縁に外曲げフランジを形成し、コンロ本体をカウンタトップに開設したコンロ開口に落とし込んだ状態で、外曲げフランジをコンロ開口の周縁部上面に着座させて、コンロ本体をカウンタトップに支持させると共に、コンロ本体を外曲げフランジに亘って上方から覆う天板を設けたドロップイン式コンロであって、
天板は、ガラス製の天板主体と、天板主体の後辺部に連結され、コンロ本体の後部の外曲げフランジを上方から覆って当該外曲げフランジとの間にコンロ本体内に空気を供給する通気間隙を画成する吸気カバーとを備えるものにおいて、
吸気カバーは、天板主体の後辺部から後方に水平にのびる水平板部と、水平板部の後方の後ろ下がりに傾斜した傾斜板部とを有し、傾斜板部の後端の位置はコンロ本体の後部の外曲げフランジの後端の位置と同等であることを特徴とするドロップイン式コンロ。
【請求項２】
前記コンロ本体の後部の前記外曲げフランジの部分に上方に凸のビードが形成されることを特徴とする請求項１記載のドロップイン式コンロ。
【発明の詳細な説明】
【技術分野】
【０００１】
本発明は、アイランドキッチン等のシステムキッチンのカウンタトップに開設したコンロ開口にコンロ本体を落とし込んだ状態で設置するドロップイン式コンロに関する。
【背景技術】
【０００２】
ドロップイン式コンロでは、上面が開放された箱形のコンロ本体の上縁に外曲げフランジを形成し、コンロ本体をカウンタトップに開設したコンロ開口に落とし込んだ状態で、外曲げフランジをコンロ開口の周縁部上面に着座させて、コンロ本体をカウンタトップに支持させると共に、コンロ本体を外曲げフランジに亘って天板により上方から覆うようにしている。また、カウンタトップ下のキャビネットの扉の開閉時の風圧によるコンロバーナの燃焼への悪影響を防止するため、コンロ本体の密閉性を高めている。そのため、コンロ本体内のバーナ混合管に燃焼用一次空気を十分に供給できなくなる。
【０００３】
そこで、従来、特許文献１，２により、天板を、ガラス製の天板主体と、天板主体の後辺部に連結される吸気カバーとを備えるものに構成し、吸気カバーによりコンロ本体の後部の外曲げフランジを上方から覆って当該外曲げフランジとの間にコンロ本体内に空気を供給する通気間隙を画成するものが知られている。尚、特許文献１に記載のものでは、吸気カバーが天板主体の後辺部から斜め後上方にのびており、特許文献２に記載のものでは、吸気カバーが天板主体の後辺部から後方に水平にのび、コンロ本体後部の外曲げフランジの後端位置より後方に位置する吸気カバーの後端部が後ろ下がりに傾斜している。
【０００４】
ところで、システムキッチンには、台所の中央部にシステムキッチン用キャビネットを配置したアイランドキッチンと呼ばれるものがある。アイランドキッチンのカウンタトップにドロップイン式コンロを設置した場合には、カウンタトップのコンロ設置部の後に壁が存在しないため、コンロが後方からも目視可能になる。従って、特許文献１に記載のものでは、斜め後上方にのびる吸気カバーの裏側の通気間隙の部分が後方から丸見えになってしまい体裁を損なう。一方、特許文献２に記載のものでは、水平の吸気カバーの後端部が後ろ下がりに傾斜しているため、後方から見ても通気間隙は目立たず体裁が良好になる。
【０００５】
然し、特許文献２に記載のものでは、煮こぼれが吸気カバーにかかると、後ろ下がりに傾斜した吸気カバーの後端部からカウンタトップに煮こぼれが流下し、以下の不具合を生ずる。即ち、吸気カバーの後端部はコンロ本体後部の外曲げフランジの後端位置より後方に位置するため、外曲げフランジの後端に隣接するカウンタトップの部分が吸気カバーの後端部の下に隠れて、この部分に煮こぼれが溜っても気付き難く、気付いたとしても、吸気カバーの後端部が邪魔になって、この部分に溜った煮こぼれを簡単には拭き取ることができない。そして、ある程度以上煮こぼれが溜ると、通気間隙に空気が流入し難くなって、燃焼不良を生じてしまう。
【先行技術文献】
【特許文献】
【０００６】
【特許文献１】特開２００６−３００５号公報
【特許文献２】特開平１１−２４１８３１号公報
【発明の概要】
【発明が解決しようとする課題】
【０００７】
本発明は、以上の点に鑑み、アイランドキッチンのカウンタトップに設置しても体裁が良好で、且つ、煮こぼれによって通気間隙に空気が流入し難くなることも防止できるようにしたドロップイン式コンロを提供することをその課題としている。
【課題を解決するための手段】
【０００８】
上記課題を解決するために、本発明は、上面が開放された箱形のコンロ本体の上縁に外曲げフランジを形成し、コンロ本体をカウンタトップに開設したコンロ開口に落とし込んだ状態で、外曲げフランジをコンロ開口の周縁部上面に着座させて、コンロ本体をカウンタトップに支持させると共に、コンロ本体を外曲げフランジに亘って上方から覆う天板を設けたドロップイン式コンロであって、天板は、ガラス製の天板主体と、天板主体の後辺部に連結され、コンロ本体の後部の外曲げフランジを上方から覆って当該外曲げフランジとの間にコンロ本体内に空気を供給する通気間隙を画成する吸気カバーとを備えるものにおいて、吸気カバーは、天板主体の後辺部から後方に水平にのびる水平板部と、水平板部の後方の後ろ下がりに傾斜した傾斜板部とを有し、傾斜板部の後端の位置はコンロ本体の後部の外曲げフランジの後端の位置と同等であることを特徴とする。
【０００９】
本発明によれば、吸気カバーに後ろ下がりに傾斜した傾斜板部が設けられるため、上記特許文献２に記載のものと同様に、後方から見ても通気間隙が目立たなくなる。従って、アイランドキッチンのカウンタトップにコンロを設置しても体裁が良好になる。また、傾斜板部の後端の位置がコンロ本体後部の外曲げフランジの後端の位置と同等であるため、傾斜板部からカウンタトップに流下した煮こぼれが外曲げフランジの後端に隣接するカウンタトップの部分に溜ったときに使用者が気付きやすく、更に、この部分に溜った煮こぼれを簡単に拭き取ることができる。従って、外曲げフランジの後端に隣接するカウンタトップの部分に煮こぼれが溜ったまま放置されて、通気間隙に空気が流入し難くなることを可及的に防止できる。
【００１０】
また、本発明においては、コンロ本体の後部の外曲げフランジの部分に上方に凸のビードを形成することが望ましい。ここで、外曲げフランジの後端に隣接するカウンタトップの部分に流れた煮こぼれを拭き取る際、煮こぼれの一部が外曲げフランジに押し上げられてコンロ本体内に侵入してしまうことがある。然し、上記ビードを形成すれば、外曲げフランジに押し上げられた煮こぼれをビードで堰き止めてコンロ本体内に侵入すること防止でき、更には、外曲げフランジの補強効果も得られ、有利である。
【図面の簡単な説明】
【００１１】
【図１】本発明の実施形態のドロップイン式コンロの断面図。
【図２】図１の要部の拡大断面図。
【図３】図２に対応する比較例のコンロの断面図。
【発明を実施するための形態】
【００１２】
図１を参照して、ＣＴはアイランドキッチンのカウンタトップであり、このカウンタトップＣＴに本発明の実施形態のドロップイン式コンロが設置されている。このコンロは、上面が開放された箱形のコンロ本体１を備えている。コンロ本体１の前後左右の側壁部１１の上縁には外曲げフランジ１２が形成されている。そして、カウンタトップＣＴに開設したコンロ開口ＣＴａにコンロ本体１を落とし込んだ状態で、外曲げフランジ１２をパッキン１３を介してコンロ開口ＣＴａの周縁部上面に着座させて、コンロ本体１をカウンタトップＣＴに支持させている。
【００１３】
尚、コンロ本体１の側壁部１１には、側壁部１１がコンロ開口ＣＴａの周面に面接触することを防止するために、外方に突出する複数の突部１１ａが形成されている。また、コンロは、コンロ本体１を外曲げフランジ１２に亘って上方から覆う天板２と、コンロバーナ３とを備えている。
【００１４】
天板２は、ガラス製の天板主体２１と、天板主体２１の前辺部に連結したアルミ等の金属の押し出し成形品から成る前枠２２と、天板主体２１の後辺部に連結した後記詳述する吸気カバー２３と、天板主体２１に形成したバーナ用開口２１ａを上方から覆う環状のバーナリング２４とを備えている。そして、前枠２２をコンロ本体１の前部の外曲げフランジ１２よりも前方位置で比較的薄いパッキン２２ａを介してカウンタトップＣＴに着座させると共に、天板主体２１の横方向両側の側辺部をコンロ本体１の横方向両側の外曲げフランジよりも外方位置で比較的厚いパッキン（図示省略）を介してカウンタトップＣＴに着座させている。尚、前枠２２を省略し、天板主体２１の前辺部も比較的厚いパッキンを介してカウンタトップＣＴに着座させるようにしてもよい。
【００１５】
コンロバーナ３は、コンロ本体１内に設置した混合管３１と、バーナリング２４を通して天板２上に突出する混合管３１の下流端部に装着されるバーナ本体３２とを備えている。また、コンロバーナ３には、バーナ本体３２の周囲１箇所に臨む点火プラグ３３が付設されている。天板主体２１の前部上面には、コンロバーナ用の操作つまみ４が配置されている。そして、コンロ本体１内の前部に操作つまみ４で操作されるバルブ５を設置し、このバルブ５を介して混合管３１に燃料ガスが供給されるようにしている。また、天板主体２１の上面に、バーナ本体３２を囲うようにして、環状の五徳枠６１に放射状に複数の五徳爪６２を取り付けて成る五徳６を載置している。
【００１６】
天板主体２１の後辺部は、コンロ本体１の後部の側壁部１１よりも前方に位置しており、天板主体２１の後辺部とコンロ本体１の後部側壁部１１との間に隙間が確保される。天板主体２１の後辺部に連結される吸気カバー２３は、コンロ本体１の後部の外曲げフランジ１２を上方から覆って当該外曲げフランジ１２との間に通気間隙２３ａを確保する部材である。この通気間隙２３ａは、天板主体２１の後辺部とコンロ本体１の後部側壁部１１との間の隙間を介してコンロ本体１内に連通している。そのため、通気間隙２３ａを介して空気がコンロ本体１内に供給され、この空気が混合管３１の上流端から一次空気として吸引される。
【００１７】
図２を参照して、本実施形態の吸気カバー２３は、アルミ等の金属の押し出し成形品から成るものであり、天板主体２１の後辺部から後方に水平にのびる水平板部２３１と、水平板部２３１の後方の後ろ下がりに傾斜した傾斜板部２３２とを有する。尚、吸気カバー２３の前端部には、水平板部２３１の前端から前方に若干突出する上片部２３３ａと、水平板部２３１の前端から垂下する垂下片部２３３ｂと、垂下辺部２３３ｂの下端から前方に屈曲してのびる下片部２３３ｃとで構成される溝部２３３が設けられている。そして、この溝部２３３にシリコーン接着剤２３３ｄを塗布した状態で天板主体２１の後辺部を嵌め込み、吸気カバー２３を天板主体２１の後辺部に固定している。
【００１８】
傾斜板部２３２の後端の位置は、コンロ本体１の後部の外曲げフランジ１２の後端の位置と同等である。尚、本実施形態では、傾斜板部２３２の後端が外曲げフランジ１２の後端の位置より若干後方に位置しているが、傾斜板部２３２の後端と外曲げフランジ１２の後端との間の前後方向距離Ｌが傾斜板部２３２の後端のカウンタトップＣＴからの高さＨの１／３以下であれば、外曲げフランジ１２の後端に隣接するカウンタトップＣＴの部分に溜った煮こぼれを大人が立ったまま後方から確実に視認できると共に、この部分を支障なく拭き掃除でき、この場合も上記「同等」に含まれる。本実施形態では、Ｈ＝１０．５ｍｍ、Ｌ＝２．６ｍｍに設定している。また、外曲げフランジ１２の後端の位置が傾斜板部２３２の後端の位置より若干後方に位置する場合も上記「同等」に含まれる。
【００１９】
また、コンロ本体１後部の外曲げフランジ１２には、上方に凸のビード１２ａが形成されている。尚、コンロ本体１後部の外曲げフランジ部１２だけでなく、コンロ本体１の横方向両側部及び前部の外曲げフランジ１２にも連続してビードを形成し、外曲げフランジ１２を全周に亘り補強するようにしてもよい。
【００２０】
本実施形態によれば、吸気カバー２３に水平板部２３１を設けることで、天板主体２１と吸気カバー２３との一体感を得られる。更に、吸気カバー２３の後部に後ろ下がりに傾斜した傾斜板部２３２が設けられるため、通気間隙２３ａが後方から見ても目立たなくなる。従って、コンロをアイランドキッチンのカウンタトップＣＴに設置しても体裁が良好になる。
【００２１】
また、吸気カバー２３にかかった煮こぼれは、傾斜板部２３２から吸気カバー２３の下面に回り込むことなくカウンタトップＣＴに流下する。そして、カウンタトップＣＴに流下した煮こぼれがコンロ開口ＣＴａに侵入することは、コンロ本体１後部の外曲げフランジ１２の下面のパッキン１３により阻止される。
【００２２】
更に、吸気カバー２３の傾斜板部２３２の後端の位置がコンロ本体１後部の外曲げフランジ１２の後端の位置と同等であるため、外曲げフランジ１２の後端に隣接するカウンタトップＣＴの部分に煮こぼれが溜ったときに気付きやすくなり、使用者に掃除を促すことができる。そして、この部分に溜った煮こぼれを傾斜板部２３２に邪魔されずに簡単に拭き取ることができる。従って、外曲げフランジ１２の後端に隣接するカウンタトップＣＴの部分に煮こぼれが溜ったまま放置されて、通気間隙２３ａに空気が流入し難くなることを可及的に防止できる。
【００２３】
また、コンロ本体１後部の外曲げフランジ１２はパッキン１３の厚さ分だけカウンタトップＣＴより上方に位置するため、通常は煮こぼれが外曲げフランジ１２上に流れ込むことはない。然し、外曲げフランジ１２の後端に隣接するカウンタトップＣＴの部分を拭き掃除する際には、煮こぼれが外曲げフランジ１２上に押し上げられてしまうことがある。
【００２４】
ここで、本実施形態では、外曲げフランジ１２に上方に凸のビード１２ａが形成されているため、外曲げフランジ１２上に押し上げられた煮こぼれをビード１２ａで堰き止めてコンロ本体１内に侵入することを防止でき、更に、ビード１２ａにより外曲げフランジ１２の補強効果も得られ、有利である。
【００２５】
尚、図３に示す比較例の如く、吸気カバー２３の水平板部２３１をコンロ本体１後部の外曲げフランジ１２の後端位置と同等の位置まで後方に延長して、水平板部２３１の後端に下方に屈曲する屈曲部２３４を形成することも考えられる。然し、これでは、後方から見たときに、吸気カバー２３のカウンタトップＣＴからの高さが屈曲部２３４の存在で強調されてしまい、吸気カバー２３が厚いとの視覚的印象を与えてしまう。一方、本実施形態によれば、吸気カバー２３のカウンタトップＣＴからの高さが傾斜板部２３２で次第に低くなるため、吸気カバー２３が薄いとの視覚的印象を与えることができ、外観が良好になる。
【００２６】
以上、本発明の実施形態について図面を参照して説明したが、本発明はこれに限定されない。例えば、上記実施形態では、吸気カバー２３をその前端に形成した溝部２３３において天板主体２１の後辺部に固定しているが、溝部２３３の上片部２３３ａを省略し、下片部２３３ｃを天板主体２１の後辺部下面に接着固定してもよい。この場合、天板主体２１の上面と吸気カバー２３の水平板部２３１の上面とを面一にすれば、天板主体２１と吸気カバー２３との一体感をより強く得ることができ、有利である。
【符号の説明】
【００２７】
ＣＴ…カウンタトップ、ＣＴａ…コンロ用開口、１…コンロ本体、１２…外曲げフランジ、１２ａ…ビード、２…天板、２１…天板主体、２３…吸気カバー、２３ａ…通気間隙、２３１…水平板部、２３２…傾斜板部。
【図１】
2013044440.tif 000003
【図２】
2013044440.tif 000004
【図３】
2013044440.tif 000005